(57)【要約】      （修正有）【課題】  利用者が知りたいと思った自分の目の前の風景や聞こえて来る音楽や動物の泣き声等に関する情報を、複雑な操作を必要とせずに直ちに得ることのできる情報検索システムを提供する。【解決手段】  検索サーバ装置１０は、指定対象の指定データ形式のオブジェクトと各オブジェクトに関する情報を記録したデータベース２０を備え、検索オブジェクトのデータ形式には画像データと音声データを含み、データベース２０は、風景画像データと各風景に関する情報を記録し、鳴き声音声データと各動物に関する情報を記録し、ユーザ端末３０は、風景画像データを生成する撮影部３１と、音声データを生成する音声収録部３３を備える。ユーザ端末３０から当該データ形式の検索オブジェクトのデータを受信し、データベース２０中のオブジェクトから検索オブジェクトに該当するものを検出し、該オブジェクト情報を検索結果としてユーザ端末３０に送信する。【選択図】    図１
2005050315.tif 000002
【特許請求の範囲】
【請求項１】
記憶媒体を備え、通信回線を介して通信を行う携帯端末であって、
前記記憶媒体に記録された検索オブジェクトを前記通信回線経由で送信し、
前記検索オブジェクトに対する検索結果を前記通信回線経由で受信することを特徴とする携帯端末。
【請求項２】
前記検索オブジェクトが、静止画像データであることを特徴とする請求項１に記載の携帯端末。
【請求項３】
前記検索オブジェクトが、動画データであることを特徴とする請求項１に記載の携帯端末。
【請求項４】
前記検索オブジェクトが、音データであることを特徴とする請求項１に記載の携帯端末。
【請求項５】
ディスプレイを備え、
前記検索結果を前記ディスプレイに表示することを特徴とする請求項１から請求項４の何れか１項に記載の携帯端末。
【請求項６】
通信回線を介して通信を行う携帯端末であって、
検索オブジェクトとしてマイクで集音した音声データを前記通信回線経由で送信し、
前記検索オブジェクトに対する検索結果を前記通信回線経由で受信することを特徴とする携帯端末。
【請求項７】
通信回線を介して通信を行う携帯端末であって、
検索オブジェクトとしてカメラで撮影した画像データを前記通信回線経由で送信し、
前記検索オブジェクトに対する検索結果を前記通信回線経由で受信することを特徴とする携帯端末。
【請求項８】
前記検索オブジェクトを、前記通信回線経由で情報検索サービスを提供する検索サーバ装置に送信し、前記検索オブジェクトに対する前記検索サーバ装置からの検索結果を受信することを特徴とする請求項１、請求項６、請求項７の何れか１項に記載の携帯端末。
【請求項９】
位置検出手段、カメラ及び記憶媒体を有し、通信回線を介して通信を行う携帯端末であって、
前記カメラで画像データを撮影した際に、前記位置検出手段で現在位置情報を検出して前記画像データと前記現在位置情報を記憶し、
検索オブジェクトとして前記現在位置情報と前記画像データを前記通信回線経由で送信し、
前記検索オブジェクトに対する検索結果を前記通信回線経由で受信することを特徴とする携帯端末。
【請求項１０】
前記検索結果は、前記検索オブジェクトに関する案内や情報であることを特徴とする請求項９に記載の携帯端末。
【請求項１１】
ディスプレイを備え、
前記検索結果を前記ディスプレイに表示することを特徴とする請求項９または請求項１０に記載の携帯端末。
【請求項１２】
外部装置から検索オブジェクトを取得し、通信回線を介して前記検索オブジェクトを送信し、
前記検索オブジェクトに対する検索結果を前記通信回線経由で受信することを特徴とする携帯端末。
【請求項１３】
前記外部装置から赤外線通信を介して前記検索オブジェクトを取得することを特徴とする請求項１２に記載の携帯端末。
【請求項１４】
前記外部装置からコードを介して前記検索オブジェクトを取得することを特徴とする請求項１２に記載の携帯端末。
【請求項１５】
記憶媒体を備え、
前記外部装置から取得した前記検索オブジェクトを前記記憶媒体に保存したのち前記検索オブジェクトを送信することを特徴とする請求項１２から請求項１４の何れか１項に記載の携帯端末。
【発明の詳細な説明】
【技術分野】
【０００１】
本発明は、通信回線を介して利用者に情報検索サービスの提供に関し、特に画像データや音声データ等のマルチメディアデータを検索する情報検索サービスに用いる携帯端末に関する。
【背景技術】
【０００２】
従来の、通信回線を介して利用者に情報検索サービスを提供する情報検索システムには、インターネット、パソコン通信、電話回線等の通信回線を介して、インターネット上のウェブページの検索、各種統計や特許等のデータベースの検索等を行うものがある。
【０００３】
検索の指示は、キーボード等から検索語や検索式を入力したり、表示される選択肢の中から検索対象を選択する等により行うものであった。
【発明の開示】
【発明が解決しようとする課題】
【０００４】
しかし、従来の情報検索システムでは、以下に述べるような問題点があった。
【０００５】
第１に、従来の情報検索システムでは、検索する内容を検索式や検索語を用いて詳細に指定する必要があるなど、検索を指示するための操作が面倒で手間が掛かり、利用者が知りたいと思った事項に関する情報を直ちに得ることはできなかった。
【０００６】
第２に、従来の通信回線を介した情報検索サービスでは、検索に指定する検索語の代わりに、画像データや音声データ等のマルチメディアデータを指定することができなかった。
【０００７】
最近では、利用者がこれら画像データ等を容易に作成することのできるデジタルカメラ等の装置が普及し始めており、更にこれら画像データ等を通信回線上で瞬時に送信することのできる高速・大容量の通信インフラの整備が進められているため、これら画像データ等を基に検索を実行する通信回線を介した情報検索サービスが求められている。
【０００８】
本発明の目的は、上記従来技術の欠点を解決し、利用者が知りたいと思った、自分の目の前の風景や聞こえて来る音楽や動物の鳴き声等に関する情報を、複雑な操作を必要とせずに直ちに得ることのできる、情報検索サービスに用いる携帯端末を提供することである。
【課題を解決するための手段】
【０００９】
上記目的を達成するため本発明の携帯端末は、記憶媒体を備え、通信回線を介して通信を行う携帯端末であって、前記記憶媒体に記録された検索オブジェクトを前記通信回線経由で送信し、前記検索オブジェクトに対する検索結果を前記通信回線経由で受信することを特徴とする。
【００１０】
請求項２の本発明の携帯端末は、前記検索オブジェクトが、静止画像データであることを特徴とする。
【００１１】
請求項３の本発明の携帯端末は、前記検索オブジェクトが、動画データであることを特徴とする。
【００１２】
請求項４の本発明の携帯端末は、前記検索オブジェクトが、音データであることを特徴とする。
【００１３】
請求項５の本発明の携帯端末は、ディスプレイを備え、前記検索結果を前記ディスプレイに表示することを特徴とする。
【００１４】
請求項６の本発明の携帯端末は、通信回線を介して通信を行う携帯端末であって、検索オブジェクトとしてマイクで集音した音声データを前記通信回線経由で送信し、前記検索オブジェクトに対する検索結果を前記通信回線経由で受信することを特徴とする。
【００１５】
請求項７の本発明の携帯端末は、通信回線を介して通信を行う携帯端末であって、検索オブジェクトとしてカメラで撮影した画像データを前記通信回線経由で送信し、前記検索オブジェクトに対する検索結果を前記通信回線経由で受信することを特徴とする。
【００１６】
請求項８の本発明の携帯端末は、前記検索オブジェクトを、前記通信回線経由で情報検索サービスを提供する検索サーバ装置に送信し、前記検索オブジェクトに対する前記検索サーバ装置からの検索結果を受信することを特徴とする。
【００１７】
請求項９の本発明の携帯端末は、位置検出手段、カメラ及び記憶媒体を有し、通信回線を介して通信を行う携帯端末であって、前記カメラで画像データを撮影した際に、前記位置検出手段で現在位置情報を検出して前記画像データと前記現在位置情報を記憶し、検索オブジェクトとして前記現在位置情報と前記画像データを前記通信回線経由で送信し、前記検索オブジェクトに対する検索結果を前記通信回線経由で受信することを特徴とする。
【００１８】
請求項１０の本発明の携帯端末は、前記検索結果は、前記検索オブジェクトに関する案内や情報であることを特徴とする。
【００１９】
請求項１１の本発明の携帯端末は、ディスプレイを備え、前記検索結果を前記ディスプレイに表示することを特徴とする。
【００２０】
請求項１２の本発明の携帯端末は、外部装置から検索オブジェクトを取得し、通信回線を介して前記検索オブジェクトを送信し、前記検索オブジェクトに対する検索結果を前記通信回線経由で受信することを特徴とする。
【００２１】
請求項１３の本発明の携帯端末は、前記外部装置から赤外線通信を介して前記検索オブジェクトを取得することを特徴とする。
【００２２】
請求項１４の本発明の携帯端末は、前記外部装置からコードを介して前記検索オブジェクトを取得することを特徴とする。
【００２３】
請求項１５の本発明の携帯端末は、記憶媒体を備え、前記外部装置から取得した前記検索オブジェクトを前記記憶媒体に保存したのち前記検索オブジェクトを送信することを特徴とする。
【発明の効果】
【００２４】
本発明の情報検索サービスに用いる携帯端末によれば、以下のような効果が達成される。
【００２５】
第１に、利用者は、時間や手間を掛けることなく容易に自分の目に見えるものや耳に聞こえるものに関する情報の提供を受けることができる。例えば、端末で山の写真を情報検索サービス会社へ送ることにより、知りたいと思った山の名前等の詳細情報を情報端末ですぐに受け取ることができる。また、検索した山の詳細情報として、山の名前だけでなく登山ルート情報等を得ることにより迷うことなく登山ができ便利である。
【００２６】
第２に、本発明の情報検索システムのユーザ端末にカー・ナビゲーション・システムを接続する等の方法により、現在位置をサーバ装置に対し通知することが可能となるため、検索する画像の撮影位置を特定することが格段に容易になり高い検索精度を実現することができる。
【００２７】
第３に、音声情報による検索サービスとして、ユーザが携帯電話で情報検索サービス会社の端末に「鼻歌」を入力し、「歌の題名」等の詳細情報の提供を受けることができる。また、「鳥」の写真やその「鳴き声」により、鳥の名前等の情報の提供を受けることができ、バードウォッチング愛好家に対するニーズ対応ができる。
【００２８】
第４に、検索サービスの利用料金は、クレジットカード会社等の決済機関等を介して支払いを行うことができるため、利用者は利用料金の支払いが容易にでき、また、検索サービスの提供をその利用料金の徴収を含めて全てサーバ装置により自動化することができる。
【００２９】
第５に、音声や画像等による様々なマルチメディアデータにより検索を行うことができ、更に検索に該当した場合に表示できる内容も（山の名前や登山ルート等）サービスの提供者により自由に取り揃えて設定することができるため、インターネット等の通信回線を介した百科事典を実現することができる。
【実施例】
【００３０】
以下、本発明の実施の形態について図面を参照して詳細に説明する。
【００３１】
図２は、本発明の第１の実施の形態の情報検索システム１００の構成を示す図である。
【００３２】
図２を参照すると、本実施の形態の情報検索システム１００は、情報検索サービスを利用者に提供する情報提供サービス会社において、検索するデータを記録したデータベース２０と、利用者が指定した画像・音声・動画データ等を基にデータベース２０を検索し検索結果を通知するサーバ装置１０を備え、またサーバ装置１０は、通信回線４０を介して各利用者のユーザ端末３０に接続される。
【００３３】
通信回線４０は、例えばインターネットやパソコン通信等の回線や、電話回線、無線電話回線、ＬＡＮ，その他専用の通信回線等を用いることができる。
【００３４】
ユーザ端末３０は、例えば携帯電話、ＰＨＳ等の携帯通信端末や、パソコン、ノートパソコン、ＰＤＡ（ｐｅｒｓｏｎａｌ  ｄｉｇｉｔａｌ  ａｓｓｉｓｔａｎｔ）等の情報端末を用いることができる。
【００３５】
ユーザ端末３０は、通信回線４０を介してサーバ装置１０に接続し、サーバ装置１０に対し、画像・音声データ等により示される検索オブジェクトを送信することにより検索を指示し、サーバ装置１０から、通信回線４０を介してその検索結果を受信する。
【００３６】
ここでの検索では、一般の検索システムで用いられる検索語と同様にして、検索語における単語や文章の文字データを用いる方式に限らず、画像データや音声データ等のデータ形式により示される風景等のオブジェクトをも検索を指定するものとして用いる。こうした、画像データや音声データにより示される検索を指示する、風景や山の画像、鳥や動物の鳴き声や音楽作品内の１フレーズ等を、以下検索オブジェクトと呼ぶこととする。
【００３７】
ユーザ端末３０では、例えば、上述の例において示された市販の携帯電話やノートパソコン等の装置においては、音声データを入力するためのマイクを備えていたり（又は接続が可能）、また回りの風景を容易に画像データに変換できるデジタルカメラの接続の可能なものが多い。利用者は、これを用いて直接利用者の元に聞こえる音楽や動物の鳴き声等のオブジェクトを示す音声データや、周りの風景等のオブジェクトを示す画像データを検索オブジェクトとして送信することができる。
【００３８】
またその他、検索オブジェクトとして、利用者自身がその場で収録した音声データ等を用いる方式に限らず、ユーザ端末３０の内部（又は外部の他の装置）の半導体記録回路や磁気ディスクその他の記録媒体に記録された音声、画像、動画等のデータファイルを読み出して使用してもよい。例えば、デジタルカメラにおいては、撮影された画像や動画のデータは、デジタルカメラ内の記録媒体に記録されており、その記録されたデータはパソコン等のユーザ端末３０にコードや赤外線通信等を介して読み出すことができる。
【００３９】
こうして利用者が、ユーザ端末３０により音声、画像、動画その他の様々なマルチメディアデータを検索オブジェクトとしてサーバ装置１０に送信すると、サーバ装置１０はその検索オブジェクトを基にデータベース２０から検索を実行する。
【００４０】
データベース２０には、予め画像や音声等による検索対象の多くのオブジェクトや、その各オブジェクトに関する情報を記録しておく。例えば、画像データにおいては、山や各地の風景の画像データとその山や風景に関する地名等の情報を記録すること等ができる。また、音声データにおいては、鳥や動物の鳴き声や音楽作品の音声データとその動物や音楽作品に関する名前等の情報を記録すること等ができる。
【００４１】
これによりサーバ装置１０は、例えば、ユーザ端末３０から検索オブジェクトとして山の画像を受信し、この検索オブジェクトを基にデータベース２０から山の画像を検索し、該当する山の画像に対応して記録される山の情報（山の名前等）を読み出して、これをユーザ端末３０に通知することができる。同様に音声データの場合には、例えば、ユーザ端末３０から検索オブジェクトとして鳥の鳴き声を受信し、この検索オブジェクトを基にデータベース２０から鳥の鳴き声を検索し、該当する鳥の鳴き声に対応して記録される鳥の情報（鳥の名前等）を読み出して、これをユーザ端末３０に通知することができる。
【００４２】
また、その他に、例えば外出先のスーパーマーケットやデパートの店内に流れる音楽や、テレビやラジオから流れる音楽や、利用者が口ずさむ鼻歌等からその曲名を検索すること等ができる。
【００４３】
また、検索対象が画像等のマルチメディアデータなので、サーバ装置１０は、送信された検索オブジェクトを単にデータベース２０に記録されたオブジェクトと直接比較するのみではなく、必要に応じて検索オブジェクトが示す特徴を抽出し、データベース２０に記録された各オブジェクトの特徴と比較することが好ましい。この場合において、画像データや音声データからのその特徴をなす個所の抽出処理は、当該処理を実行するコンピュータプログラムを用いる等の従来技術を用いること等により実施することができる。
【００４４】
こうして、利用者は山の画像データからその山の名前等の情報の提供を受けたり、鳥の鳴き声の音声データからその鳥の名前等の情報の提供を受けることができる。
【００４５】
更に、データベース２０に、画像や音声に関する情報として名前のみではなく、より詳細に豊富な情報を記録して利用者に提供することで通信回線４０を介した百科事典とすることもできる。つまり、例えば、山の画像を検索オブジェクトとして検索をした場合に、山の名前のみではなくその山の地図や登山ルート、観光案内、交通案内、天気予報等の各種情報や、又写真家により撮影されたその山の写真の画像データ等を利用者に提供することが可能である。また、同様に鳥の鳴き声を検索オブジェクトとして検索をした場合に、鳥の名前のみではなく、鳥の図鑑等に掲載されるようなその鳥の詳細な情報や、その鳥の画像等を利用者に提供することが可能である。
【００４６】
ここで、画像や音声等のマルチメディアデータを検索オブジェクトとして検索を行うためには、その情報処理装置に極めて高度で高速な処理能力を必要とし、更にまた本実施の形態のように鳥の鳴き声からその鳥の種類の識別を実現するためには、データベース２０に極めて多くの種類の鳥の鳴き声を登録する必要があり、従来ではこうした検索を一般の利用者が利用することができなかった。
【００４７】
しかし、本実施の形態の情報検索システム１００では、この音声や画像データによる検索を実行する高性能の情報処理装置であるサーバ装置１０に対し、利用者がユーザ端末３０から通信回線を介して操作し検索を実行することで、利用者がその時に見えているもの、耳に聞こえてくる音等の部分的な情報から知りたいと思う情報を、直ちに調べて提供することが可能になる。
【００４８】
図１は、本実施の形態の情報検索システム１００の詳細な構成の一例を示すブロック図である。
【００４９】
図１の例では、通信回線４０においてインターネット４１を使用し、さらに移動電話回線４３を介してユーザ端末３０と接続している。
【００５０】
このように、インターネット４１を使用することで、情報検索サービスの提供業者は多くの利用者からの検索の依頼を容易に受けることができる。これは、サーバ装置１０が検索の依頼を受け付けるためのウェブページを管理したり、又サーバ装置１０にウェブサーバの機能を備えてこの情報検索サービスのウェブサイトを運営する等の方式が考えられる。
【００５１】
また、移動電話回線４３を介してユーザ端末３０と通信を行うことができるため、利用者は外出先で目にした風景等に関する情報を容易に入手することができる。
【００５２】
図１の例では、ユーザ端末３０には、周りの風景等を撮影するための撮影部３１、ユーザ端末３０の位置を検出する位置検出部３２、外部に聞こえる音を収録する音声収録部３３を備えている。
【００５３】
撮影部３１は、周りの画像を撮影するためのカメラであり、ＣＣＤ（ｃｈａｒｇｅ  ｃｏｕｐｌｅｄ  ｄｅｖｉｃｅ）カメラ等を使用することができる。また、撮影部３１は必ずしもユーザ端末３０本体に内蔵する形態に限るものではなく、ユーザ端末３０を外部のデジタルカメラに接続し、画像の撮影はそのデジタルカメラが行うものとしてもよい。
【００５４】
位置検出部３２は、例えばＧＰＳ（ｇｌｏｂａｌ  ｐｏｓｉｔｉｏｎｉｎｇ  ｓｙｓｔｅｍ：全地球測位システム）を用いることにより、カー・ナビゲーション・システムと同様に、現在のユーザ端末３０の位置である利用者の位置を検出し、その検出した位置をサーバ装置１０に通知することができる。
【００５５】
これは、利用者が撮影した山や風景がいずれのものであるかを識別するために、単にその画像のみを用いるのではなくその撮影位置を参照することで、より正確な判定を実現し、またデータベース２０内で検索処理を必要とする画像をそのユーザ端末３０の位置近辺に（目の届く範囲に）限定することができるため、より検索処理を高速化することができる。
【００５６】
また、位置検出部３２は、必ずしもユーザ端末３０本体に内蔵する形態に限るものではなく、ユーザ端末３０とＧＰＳ等を備えるカーナビとを接続し、ユーザ端末３０はカーナビが検出した現在位置のデータを受けてサーバ装置１０に通知するものとしてもよい。
【００５７】
また、図１の例のように携帯通信端末をユーザ端末３０とする場合においては、ユーザ端末３０の位置が基地局４４等により認識されており、（ＧＰＳ等の特別の装置を備えるのではなく）その基地局４４等により認識される位置情報を用いるものとしてもよい。
【００５８】
音声収録部３３は、音声を収録するためのマイクであり、携帯通信端末や情報処理端末等の多くでは、内臓されていたりマイクのコードの接続が可能である。
【００５９】
また、情報検索サービス会社は、その情報提供サービスの運営費用を、利用者からサービス料金を徴収したり、その他情報提供サービスを受け付けるためのウェブページ内に掲載する広告の広告料金で運営する等の方式が考えられる。
【００６０】
ここで、サービス料金を利用者から徴収する場合においては、利用者のサービス料金の支払いを仲介するクレジットカード会社等による決済機関の端末と通信回線４０を介して接続して通信し、サーバ装置１０が、利用者の検索サービスの利用毎に、利用者が入力した（あるいは、事前に登録した）クレジットカード番号等を用いて自動的に料金の決済を実行することも可能である。
【００６１】
また、その他、利用の度に決済を行う方式のみに限らず、各利用者を予め登録し、預金口座等からの引き落としや銀行振込みを毎月１回まとめて行う等の方式によるものとしてもよい。
【００６２】
次に、本実施の形態の情報提供システム１００の処理を説明する。
【００６３】
図３は、本実施の形態の情報検索システム１００の処理を説明するためのフローチャートであり、利用者が撮影した山の画像をデータベース２０から検索し、サーバ装置１０がその山の名前を利用者のユーザ端末３０に送信するものである。
【００６４】
図３を参照すると、まず利用者はユーザ端末３０から、情報検索サービス会社のインターネットのウェブサイトに接続し、情報検索の依頼を受け付けるためのウェブページを表示する（ステップ３０１、３０２）。
【００６５】
図４、５、６は、情報検索サービス会社が提供する情報検索のページの例であり、ここでは特に、携帯電話等の携帯通信端末によるユーザ端末３０を用いた例を示すものであり、液晶ディスプレイ等による表示画面３４に表示されるものである。またこのように本実施例においては、ユーザ端末３０として、ｉモード等のインターネットの利用ができる携帯通信端末を使用することができる。
【００６６】
図４は、本実施の形態のユーザ端末３０に表示する検索要求ページの一例を示す図である。図４の例では、検索要求ページにおいて、要求する情報の種類（山の名前）とその検索オブジェクトのデータ形式（画像データ）を指定することができる。
【００６７】
次に、その検索要求ページを介してサーバ装置１０に対し、ユーザ端末３０から、（ユーザ端末３０に接続できる）デジタルカメラ等により撮影した「山」を含む風景の画像データを検索オブジェクトとして送信し、また要求する情報がその山の名前であることを通知する（ステップ３０３〜３０６）。
【００６８】
次に、サーバ装置１０が、送信された山の画像データに合致する「山」を情報検索サービス会社のデータベース２０から検索し（ステップ３０７）、検索に合致した山の件数を利用者のユーザ端末３０に送信する（ステップ３０８）。
【００６９】
図５は、本実施の形態のユーザ端末３０に表示する該当件数ページの一例を示す図である。図５の例では、検索に合致した山の件数が表示され、検索結果の提供を受けるかどうかの判断をユーザ端末３０からサーバ装置１０に通知することができる。
【００７０】
検索に合致した件数の情報を受信すると（ステップ３０９）、使用者は検索結果の提供を受けるかどうかを判断し、その選択をサーバ装置１０に通知する（ステップ３１０）。もし提供を受けない場合には、情報検索システム１００の処理はこれで終了する。もし提供を受ける場合には、サーバ装置１０からその検索された山の名前の情報の送信を受ける。
【００７１】
図６は、本実施の形態のユーザ端末３０に表示する検索結果ページの一例を示す図である。図６の例では、検索に合致した山の名前が「富士山」である表示され、又検索に合致した他の山の名前を表示するかそれとも終了するかの判断をユーザ端末３０からサーバ装置１０に通知することができる。
【００７２】
また、この検索サービスの利用料金は、サーバ装置１０が自動的に通信回線４０を介してクレジットカード会社等による決済機関と接続して通信し、利用者のクレジットカード番号等を通知して料金の支払いを請求し、その支払いを受けることができる（ステップ３１４〜３１７）。
【００７３】
以上、図３の画像データを用いて検索を行う実施例の処理を説明したが、その他にも、音声データや動画データを用いて検索を行う場合も同様である。
【００７４】
また、撮影部３１により撮影した目の前の風景の画像データを、すぐその場で検索を依頼する場合では、位置検出部３２が検出する現在位置（撮影地点）のデータを利用することにより、極めて高い検索精度を実現することができる。このため例えば、利用者が街中で目に付く建物や商店や駅等を撮影して検索し、これら商店等の情報の提供を受けることもできる。この場合の処理は、ステップ３０３、３０４の検索する画像データの送信時において、この現在位置のデータもサーバ装置１０に送信し、ステップ３０７のサーバ装置１０における検索の実行時には、この撮影地点のデータに対応して検索対象を限定（当該撮影地点より撮影の可能なオブジェクトに限定する）することにより、図３の例と同様に処理を行うことができる。
【００７５】
以上説明した本実施の形態の情報検索システム１００により、利用者は、時間や手間を掛けることなく容易に自分の目に見えるものや耳に聞こえるものに関する情報の提供を受けることができる。
【００７６】
なお、本実施の形態の情報検索システム１００は、サーバ装置１０における検索の受付や実行、課金処理、またユーザ端末３０における検索指示や検索結果の表示、その他の機能をハードウェア的に実現することは勿論として、各機能を備えるコンピュータプログラムを、コンピュータ処理装置のメモリにロードされることで実現することができる。このコンピュータプログラムは、磁気ディスク、半導体メモリその他の記録媒体８０、９０に格納される。そして、その記録媒体からコンピュータ処理装置にロードされ、コンピュータ処理装置の動作を制御することにより、上述した各機能を実現する。
【００７７】
以上好ましい実施の形態及び実施例をあげて本発明を説明したが、本発明は必ずしも上記実施の形態及び実施例に限定されるものではなく、その技術的思想の範囲内において様々に変形して実施することができる。
【図面の簡単な説明】
【００７８】
【図１】本発明の第１の実施の形態の情報検索システムの詳細な構成の一例を示すブロック図である。
【図２】本発明の第１の実施の形態の情報検索システムの構成を示す図である。
【図３】本発明の第１の実施の形態の情報検索システムの処理を説明するためのフローチャートである。
【図４】本発明の第１の実施の形態のユーザ端末に表示する検索要求ページの一例を示す図である。
【図５】本発明の第１の実施の形態のユーザ端末に表示する該当件数ページの一例を示す図である。
【図６】本発明の第１の実施の形態のユーザ端末に表示する検索結果ページの一例を示す図である。
【符号の説明】
【００７９】
１００  情報検索システム
１０  サーバ装置
２０  データベース
３０  ユーザ端末
３１  撮影部
３２  位置検出部
３３  音声収録部
３４  表示画面
４０  通信回線
４１  インターネット
４２  移動電話回線
４３  移動電話基地局
５０  決済機関
８０  記録媒体
９０  記録媒体
【図１】
2005050315.tif 000003
【図２】
2005050315.tif 000004
【図３】
2005050315.tif 000005
【図４】
2005050315.tif 000006
【図５】
2005050315.tif 000007
【図６】
2005050315.tif 000008